(57)【要約】【課題】電気機器に収納した場合に電気機器に密着し、がたつくことが抑制され、電気機器が外部から衝撃を受けた場合に該衝撃が緩和されるとともに、電気機器の水濡れ時に端子窓から内部に浸水することが抑制された電池パックを提供する。【解決手段】電池パック１は、電池コア２と、ケース３と、蓋部４とを備えている。電池コア２の素電池２１の一側面には保護回路基板２２が配され、保護回路基板２２の一端部寄りには、入出力端子２２ｂ，２２ｂ，２２ｂが設けられている。ケース３の一端部寄りには、凹部３２ａが設けられ、凹部３２ａには、前記入出力端子２２ｂ，２２ｂ，２２ｂを露出させるための端子窓３２ｂ，３２ｂ，３２ｂが設けられている。凹部３２ａには、端子窓３２ｂ，３２ｂ，３２ｂに対応する窓孔５ａ，５ａ，５ａを有する緩衝体５が接着されている。【選択図】図２
2009048914.tif 000002
【特許請求の範囲】
【請求項１】
二平面及び四側面を有する直方体状をなす素電池と、
入出力端子を有し、前記素電池の一面に配される端子基板と、
前記入出力端子を露出する端子窓を有し、前記端子基板を覆う基板被覆体と
を備える電池パックにおいて、
前記端子窓に対応する窓孔を有し、前記端子窓の外周部に当接される緩衝体を有することを特徴とする電池パック。
【請求項２】
前記緩衝体は、吸水して膨張する吸水膨張材を含む請求項１に記載の電池パック。
【請求項３】
前記緩衝体は、吸水膨張材を含んでなる吸水膨張体を前記緩衝体の厚み方向の中途部に有する請求項１に記載の電池パック。
【請求項４】
前記吸水膨張体は、前記窓孔から所定間隔を隔てて設けてある請求項３に記載の電池パック。
【請求項５】
前記吸水膨張体の表面に凹凸を付してある請求項３又は４に記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池等の二次電池の一面に配される端子基板等を絶縁性の外装体で覆ってなる電池パックに関する。
【背景技術】
【０００２】
近年、急速に普及しているビデオカメラ、モバイルコンピュータ、携帯電話機等の電気機器の電源としては、充放電可能な直方体状の非水電解質二次電池、例えばリチウムイオン二次電池等が主として用いられている。リチウムイオン二次電池（素電池）は、正極及び負極をセパレータを介して巻回した電極群、及び非水電解質を、アルミニウム又はアルミニウム合金製であり、直方体状をなすケースに収納して構成される。
【０００３】
この素電池の一側面に、過充電及び過放電を防止するために電池電圧を制御する保護回路、及び素電池から外部へ電力を取り出し、又は外部から電力を取り込むための入出力端子を有する保護回路基板を配置することにより電池コアが構成される。保護回路基板と素電池との間は接続用のリード板により電気的に接続されている。
電池コアの側面を、絶縁性を有する、例えば合成樹脂製の外装枠で覆い、さらに素電池の二平面と外装枠の一部とをラベルで覆うことで電池パックが得られる。又は、電池コアを箱体状のケースに収納し、ケースの開口を蓋で閉塞することで電池パックが得られ、この電池パックが携帯電子機器に装着される。
【０００４】
前記外装枠又はケースには、入出力端子を露出させるための端子窓が設けられている。
従来の電池パックを備えた携帯電子機器においては、高温多湿環境下、雨天時、及びシャワー使用時等で携帯電子機器が水に濡れた場合、並びに携帯電子機器が水没した場合等に、前記端子窓から水が浸入し、入出力端子が露出している部分から外装枠又はケース内に浸水して、保護回路基板とリードとの接続部分等が腐食したり、入出力端子間、リード間等で短絡したりする虞があるという問題があった。
【０００５】
特許文献１には、下ケースに、その外面側から内面に向かって取付穴を設け、その内面側に樹脂成形により取付穴を封じる封止膜を形成し、外部入出力端子の挿入片を外面から圧入したときに、封止膜が破断して挿入片に密着するように構成した電池パックの発明が開示されている。
【０００６】
特許文献２には、ケースの底壁に設けた凹窪部の底面に端子孔を並設し、該端子孔を囲繞する環状突枠を設け、該環状突枠と形状が一致する端子板を該環状突枠に嵌合し、裏面に環状溝枠を設けられた端子台を、該環状溝枠が環状突枠に嵌合する状態で、凹窪部に嵌着するように構成された電池パックの発明が開示されている。
【特許文献１】特開２００１−３０７６９３号公報
【特許文献２】特開２０００−７７０５０号公報
【発明の開示】
【発明が解決しようとする課題】
【０００７】
上述の特許文献１及び２の場合、防水構造が複雑であり、また、密着性が不十分であるので、防水効果が不十分であるという問題があった。しかも、入出力端子は露出しており、該入出力端子の水濡れは防止されていなかった。
また、密着性が不十分であるので、電気機器内で電池パックががたつくことがあり、入出力端子と電気機器側の端子との接触が悪くなって電源が瞬断する虞があるという問題もあった。そして、電気機器が外部から衝撃を受けた場合においては、保護回路基板（又は端子基板）に衝撃が伝わって、保護回路基板（又は端子基板）にクラックが生じたり、破損したりする虞もあった。
【０００８】
本発明は斯かる事情に鑑みてなされたものであり、端子窓に対応する窓孔を有し、端子窓の外周部に当接される緩衝体を有することにより、電気機器に収納した場合に電気機器に密着し、電気機器内でがたつくことが抑制され、電気機器が外部から衝撃を受けた場合に該衝撃が緩和されるとともに、電気機器の水濡れ時に端子窓から内部に浸水することが抑制された電池パックを提供することを目的とする。
【０００９】
また、本発明は、緩衝体が、吸水して膨張する吸水膨張材を含むように構成することにより、電気機器に水が浸入した場合に、水分が吸水膨張材に吸収され、吸水膨張材が膨張し、緩衝体が膨張して、電気機器にさらに良好に密着するので、端子窓から内部に浸水することがさらに良好に抑制された電池パックを提供することを目的とする。
【００１０】
そして、本発明は、緩衝体が、吸水膨張材を含んでなる吸水膨張体を緩衝体の厚み方向の中途部に有するように構成することにより、電気機器に水が浸入した場合に、水分が吸水膨張体に吸収され、吸水膨張体の膨張により緩衝体が膨張して、電気機器にさらに良好に密着するので、端子窓から内部に浸水することがさらに良好に抑制された電池パックを提供することを目的とする。
【００１１】
さらに、本発明は、吸水膨張体を、窓孔から所定間隔を隔てて設けることにより、吸水膨張体が多量の水分を吸収した場合においても、吸水膨張体から窓孔を経由して電池パックの内部へ浸水することが防止されている電池パックを提供することを目的とする。
【００１２】
また、本発明は、吸水膨張体の表面に凹凸を付すことにより、電気機器に水が浸入した場合に、吸水膨張体の吸水量が多くなって緩衝体の膨張率が大きくなり、電気機器にさらに良好に密着するので、端子窓から内部に浸水することがさらに良好に抑制された電池パックを提供することを目的とする。
【課題を解決するための手段】
【００１３】
第１発明に係る電池パックは、二平面及び四側面を有する直方体状をなす素電池と、入出力端子を有し、前記素電池の一面に配される端子基板と、前記入出力端子を露出する端子窓を有し、前記端子基板を覆う基板被覆体とを備える電池パックにおいて、前記端子窓に対応する窓孔を有し、前記端子窓の外周部に当接される緩衝体を有することを特徴とする。
【００１４】
本発明においては、電池パックを携帯電子機器等の電気機器に収納した場合に、緩衝体が基板被覆体と電気機器との間に挟まれ、基板被覆体及び電気機器に向かう反発力により電池パックが電気機器に密着する。
【００１５】
第２発明に係る電池パックは、第１発明において、前記緩衝体は、吸水して膨張する吸水膨張材を含むことを特徴とする。
【００１６】
本発明においては、電気機器に水が浸入した場合に、吸水膨張材が吸水して膨張することにより、基板被覆体及び電気機器に向かう反発力がさらに大きくなり、電池パックがさらに良好に携帯電子機器に密着する。
【００１７】
第３発明に係る電池パックは、第１発明において、前記緩衝体は、吸水膨張材を含んでなる吸水膨張体を前記緩衝体の厚み方向の中途部に有することを特徴とする。
【００１８】
本発明においては、吸水膨張材が吸水して吸水膨張体が膨張することにより、基板被覆体及び電気機器に向かう反発力がさらに大きくなり、電池パックがさらに良好に電気機器に密着する。
【００１９】
第４発明に係る電池パックは、第３発明において、前記吸水膨張体は、前記窓孔から所定間隔を隔てて設けてあることを特徴とする。
【００２０】
本発明においては、吸水膨張体が窓孔から離隔して設けられているので、吸水膨張体が多量の水分を吸収した場合においても、窓孔から端子窓を介して電池パックの内部へ浸水することが防止されている。
【００２１】
第５発明に係る電池パックは、第３又は第４発明において、前記吸水膨張体の表面に凹凸を付してあることを特徴とする。
【００２２】
本発明においては、吸水膨張体の表面積及び体積が大きくなるので、電気機器に水が浸入した場合に、吸水膨張体の吸水量が多くなって緩衝体の膨張率が大きくなり、電池パックの電気機器への密着力がさらに大きくなる。
【発明の効果】
【００２３】
第１発明によれば、端子窓に対応する窓孔を有し、端子窓の外周部に当接される緩衝体を有するので、電池パックを携帯電子機器等の電気機器に収納した場合に、緩衝体により電池パックが電気機器に密着する。
従って、電気機器内で電池パックの端子基板ががたつくことが抑制され、入出力端子と電気機器側の端子とが良好に接触し、電源の瞬断等が生じるのが抑制される。
また、電気機器が外部から衝撃を受けた場合においては、該衝撃が緩和され、入出力端子の設置部分がフレキシブルに保護され、端子基板にクラックが生じたり、破損したりするのが抑制される。
そして、電気機器に水が浸入した場合には、窓孔から電池パックに浸水するのが抑制される。
【００２４】
第２発明によれば、緩衝体が吸水により膨張するように構成されているので、電気機器に水が浸入した場合に、水分が吸水膨張材に吸収されるとともに、吸水膨張材が吸水により膨張し、緩衝体が膨張して、電気機器にさらに良好に密着するので、窓孔から電池パック内部に浸水するのがさらに良好に抑制される。
【００２５】
第３発明によれば、吸水膨張材を含んでなる吸水膨張体を緩衝体の厚み方向の中途部に有するので、電気機器に水が浸入した場合に、水分が吸水膨張体に吸収されるとともに、吸水膨張体の膨張により緩衝体が膨張し、電池パックがさらに良好に電気機器に密着するので、窓孔から電池パックに浸水するのがさらに良好に抑制される。
しかも、緩衝体に吸水膨張材が均一に含まれている場合と比較して、緩衝体の電気機器側部分、及び端子基板側部分が吸水膨張体より硬質となるように構成されているので、吸水膨張体が膨張するときに、前記電気機器側部分、及び端子基板側部分から外側への反発力がより大きくなり、すなわち、吸水膨張体が平面に平行な方向より、平面に垂直な方向により大きく膨張するので、窓孔がつぶれるのが抑制されている。
【００２６】
第４発明によれば、吸水膨張体は、窓孔から所定間隔を隔てて設けてあるので、吸水膨張体が多量の水分を吸収した場合においても、吸水膨張体から窓孔を経由して電池パックの内部へ浸水するのが防止されている。従って、防水効果がさらに良好である。
【００２７】
第５発明によれば、吸水膨張体の表面に凹凸を付してあるので、電気機器に水が浸入した場合に、吸水膨張体の吸水量が多くなって緩衝体の膨張率が大きくなり、電池パックの電気機器への密着力がさらに大きくなる。従って、防水効果がさらに良好になる。
【発明を実施するための最良の形態】
【００２８】
以下、本発明をその実施の形態を示す図面に基づいて詳述する。
実施の形態１．
図１は、本発明の実施の形態１に係る電池パック１を示す斜視図、図２は、電池パック１を示す分解斜視図である。
電池パック１は、電池コア２を一面開口の箱体状のケース（基板被覆体）３に収納し、ケース３の開口を蓋部４により閉塞してなり、後述する携帯電話機１０の電源として用いられる。
電池コア２の素電池２１は角型平板状をなし、例えばリチウムイオン二次電池等の非水電解質二次電池であり、正極及び負極をセパレータを介して巻回した電極群、並びに非水電解質を、アルミニウム又はアルミニウム合金製のケースに収納してなる。
素電池２１の一側面には、絶縁板（図示せず）を介して負極端子（図示せず）が設けられている。負極端子が設けられた部分以外の素電池２１の全体が正極（端子）とされる。
【００２９】
素電池２１の負極端子が設けられている前記一側面に平行な他側面には、保護回路基板２２が配されている。保護回路基板２２は側面視が略矩形状をなし、裏面に、素電池２１の過充電又は過放電等を防止するための保護回路を実装し、該保護回路を絶縁性の合成樹脂で覆ってなる保護回路実装部２２ａを備えている。また、保護回路基板２２の表面の中央部より一端部寄りには、素電池２１の外部へ電力を取り出し、逆に充電のために外部から電力を取り込むための正負極、及び温度端子である入出力端子２２ｂ，２２ｂ，２２ｂが、金メッキにより並設されている
第１リード２３により、保護回路基板２２の電極と前記負極端子とが接続されている。また、第２リード２４（図４参照）により、保護回路基板２２ａの他方の電極と前記他側面とが接続されている。
【００３０】
ケース３は、例えばＰＣ（ポリカーボネート）等の合成樹脂製であり、底板部３１に側板部３２，３３，３４，３５を周設してなる。
側板部３２の中央部より一端部寄りには、凹部３２ａが設けられており、凹部３２ａには、前記入出力端子２２ｂ，２２ｂ，２２ｂを露出させるための端子窓３２ｂ，３２ｂ，３２ｂが設けられている。
そして、側板部３２の外面の両端部には、角筒状をなす嵌合リブ３６，３６が設けられている。
【００３１】
蓋部４は、例えばＰＣ等の合成樹脂製であり、板状をなす。蓋部４の前記保護回路基板２２を覆う側の側面の、前記凹部３２ａに対応する部分には、凹部４ａが設けられている。蓋部４によってケース３の開口が閉塞され、溶着により、蓋部４はケース３と一体化される。
【００３２】
前記凹部３２ａ及び凹部４ａには、板状の緩衝体５が接着されている。緩衝体５は、クロロプレン等の合成ゴム、加硫ゴム、発砲ポリウレタン等の弾性を有し、衝撃吸収性を有する材料からなる。発砲ポリウレタンの具体例としては、株式会社ロジャースイノアック製の「ポロン」、株式会社ブリヂストン製の「ズレン（登録商標）」等が挙げられる。緩衝体５には、前記端子窓３２ｂ，３２ｂ，３２ｂに対応する窓孔５ａ，５ａ，５ａが設けられている。
【００３３】
図３は、電池パック１を携帯電話機１０に収納した状態を示す裏面図である。携帯電話機１０は折り畳み式である。図３においては、携帯電話機１０の開閉のためのヒンジ１２を下側にしてある。
携帯電話機１０の裏面の充電器接続側には、電池パック１を収納する角穴状の電池パック収納部１１が設けられている。なお、電池パック収納部１１の蓋は取り外してある。
電池パック収納部１１の充電器接続側の側壁部の両端部側には、電池パック１の収納時に、第１リブ３６，３６が嵌合されるように、第１凹部１１ａ，１１ａが凹設されている。
また、前記側壁部の中央部より一端部寄りには、前記緩衝体５を嵌合するための第２凹部１１ｂが設けられている。
【００３４】
前記緩衝体５を第２凹部１１ｂに嵌め合わせ、第１リブ３６，３６を第１凹部１１ａ，１１ａに差し入れ、電池パック１の蓋部４を押圧することにより、電池パック１は、収納部１１に収納される。
【００３５】
図４は、図３のＩＶ−ＩＶ線断面図である。
第２凹部１１ｂに設けられたピン１３は、入出力端子２２ｂと接触するように構成されている。
電池パック１を収納部１１に収納した場合に、緩衝体５が第２凹部１１ｂと、ケース３及び蓋部４との間に挟持され、第２凹部１１ｂ、並びにケース３及び蓋部４に向かう反発力により、電池パック１は第２凹部１１ｂに密着する。
従って、本実施の形態においては、携帯電話機１０内で保護回路基板２２ががたつくことが抑制されており、入出力端子２２ｂとピン１３とが良好に接触し、電源の瞬断等が生じるのが抑制されている。
【００３６】
また、携帯電話機１０が外部から衝撃を受けた場合においては、該衝撃が緩和され、入出力端子２２ｂの設置部分等がフレキシブルに保護され、保護回路基板２２にクラックが生じたり、破損したりするのが抑制されている。
そして、携帯電話機１０に水が浸入した場合には、窓孔５ａから電池パック１に浸水するのが抑制されている。
【００３７】
なお、本実施の形態においては、緩衝体５に、端子窓２２ｂ，２２ｂ，２２ｂに対応して、窓孔５ａ，５ａ，５ａが設けられている場合につき説明しているがこれに限定されるものではなく、緩衝体５の窓孔は仕切り板を設けず、１つにしてもよい。但し、各端子窓２２ｂに対応させて、すなわち、仕切り板を設け、各別に窓孔５ａを設ける方が、電池パック１が第２凹部１１ｂにより密着するので、好ましい。
【００３８】
実施の形態２．
図５は、本発明の実施の形態２に係る電池パック４１を示す斜視図、図６は、電池パック４１を収納した携帯電話機１５を示す一部断面図である。図中、図１及び図４と同一部分は同一符号を付して詳細な説明を省略する。
【００３９】
本実施の形態においては、緩衝体６は、吸水して膨張する吸水膨張材を含み、吸水膨張性を有する。緩衝体６の具体例としては、水膨張性ポリウレタン樹脂からなるもの（例えば三洋化成工業株式会社製の「アクアプレン（登録商標）」等）、水膨張性ポリウレタン樹脂のゴム成形品、カルボキシル基及び／又はスルホ基を有する１種以上のビニル単量体の重合体の架橋物等からなる吸水性樹脂をポリウレタン樹脂に含有してなるもの、スルホアルキル（メタ）アクリレート系重合体の架橋物等からなる吸水性樹脂と合成ゴムとを加硫成形したもの（シーアイ化成株式会社の「ビノンハイドロタイト」等）等が挙げられる。
緩衝体６には、前記端子窓３２ｂ，３２ｂ，３２ｂに対応する窓孔６ａ，６ａ，６ａが設けられている。
【００４０】
本実施の形態においては、緩衝体６が、吸水により膨張するように構成されているので、携帯電話機１５に水が浸入した場合に、緩衝体６に水分が吸収され、吸水により緩衝体６が膨張して、電池パック４１が第２凹部１１ｂにより強く密着するので、窓孔６ａ，６ａ，６ａから電池パック４１内に浸水するのがより良好に抑制されている。
【００４１】
実施の形態３．
図７は、本発明の実施の形態３に係る電池パック４２を示す斜視図、図８は、電池パック４２を収納した携帯電話機１６を示す一部断面図である。図中、図１及び図４と同一部分は同一符号を付して詳細な説明を省略する。
【００４２】
本実施の形態においては、緩衝体７は、例えば合成ゴムを主成分とする板状の基材７１，７１に吸水シート７２を挟持してなる。吸水シート７２は、例えばレーヨン紙、レーヨン不織布、パルプ不織布、化繊とレーヨン、パルプ等の混合不織布、コットン不織布等の透水性を有するシート間に、例えばポリアクリル酸塩架橋物等の吸水性樹脂を挟持してなる。
基材７１、及び吸水シート７２のいずれにも、端子窓３２ｂ，３２ｂ，３２ｂに対応する窓孔７１ａ，７１ａ，７１ａ、及び窓孔７２ａ，７２ａ，７２ａが設けられている。
【００４３】
本実施の形態においては、吸水シート７２が緩衝体７の厚み方向の中央部に設けられているので、携帯電話機１６に水が浸入した場合に、水分が吸水シート７２の吸水性樹脂に吸収され、吸水性樹脂の膨張により吸水シート７２が膨張して緩衝体７が膨張し、ケース３及び蓋部４が第２凹部１１ｂに、より良好に密着するので、窓孔７１ａ，７１ａ，７１ａ及び窓孔７２ａ，７２ａ，７２ａから電池パック４２内に浸水するのがより良好に抑制される。
【００４４】
しかも、緩衝体を、基材に吸水性樹脂を均一に配合し、１枚の板状体として構成する場合と比較して、緩衝体７の第２凹部１１ｂ側の基材７１、及び保護回路基板２２側の基材７１が吸水シート７２より硬質であるので、吸水シート７２が膨張するときに、基材７１，７１から外側への反発力がより大きくなり、すなわち、吸水シート７２が該吸水シート７２の平面に平行な方向より、平面に垂直な方向により大きく膨張するので、窓孔７１ａ，７１ａ，７１ａ及び窓孔７２ａ，７２ａ，７２ａがつぶれるのが抑制されている。
【００４５】
実施の形態４．
図９は、本発明の実施の形態４に係る電池パック４３を示す斜視図、図１０は、電池パック４３を収納した携帯電話機１７を示す一部断面図である。図中、図１及び図４と同一部分は同一符号を付して詳細な説明を省略する。
【００４６】
本実施の形態において、緩衝体８の板状の基材８１には、端子窓３２ｂ，３２ｂ，３２ｂに対応する窓孔８１ａ，８１ａ，８１ａが設けられている。そして、基材８１の四側面の中央部は、前記窓孔８１ａ，８１ａ，８１ａから所定間隔を隔てた位置まで凹んでおり、矩形枠状の吸水シート８２が、凹んだ部分に嵌め込まれるように構成されている。吸水シート８２は、例えばレーヨン紙、レーヨン不織布、パルプ不織布、化繊とレーヨン、パルプ等の混合不織布、コットン不織布等の透水性を有するシート間に、例えばポリアクリル酸塩架橋物等の吸水性樹脂を挟持してなる。
【００４７】
本実施の形態においては、吸水シート８２が多量の水分を吸収した場合においても、吸水シート８２から窓孔８１ａ，８１ａ，８１ａを経由して電池パック４３の内部へ浸水するのが防止されている。従って、防水効果がより良好である。
【００４８】
実施の形態５．
図１１は、本発明の実施の形態５に係る電池パックを収納した携帯電話機１８を示す一部断面図である。図中、図４と同一部分は同一符号を付して詳細な説明を省略する。
【００４９】
本実施の形態においては、緩衝体９は、例えば合成ゴムを主成分とする板状の基材９１，９１に吸水シート９２を挟持してなる。吸水シート９２は、例えばレーヨン紙、レーヨン不織布、パルプ不織布、化繊とレーヨン、パルプ等の混合不織布、コットン不織布等の透水性を有するシート間に、例えばポリアクリル酸塩架橋物等の吸水性樹脂を挟持してなる。
そして、吸水シート９２の両面には、波状に凹凸を付してある。基材９１、及び吸水シート９２のいずれも、端子窓３２ｂ，３２ｂ，３２ｂに対応する窓孔が設けられている。      
【００５０】
本実施の形態においては、携帯電話機１８に水が浸入した場合に、吸水シート９２の吸水量が多くなって緩衝体９の膨張率が大きくなり、ケース３及び蓋部４の第２凹部１１ｂへの密着力がより大きくなる。従って、防水効果がより良好になる。
【００５１】
なお、前記実施の形態１乃至５においては、ケース３の端子窓３２ｂ，３２ｂ，３２ｂが設けられている部分に、緩衝体５，６，７，８，９を当接する場合につき説明しているがこれに限定されるものではなく、素電池２の四側面を外装枠で覆うように構成し、該外装枠に設けた端子窓の外周部に緩衝体を当接することにしてもよい。
また、前記実施の形態１乃至５においては、端子基板であり、保護回路も実装された保護回路基板２２を適用した場合につき説明しているがこれに限定されるものではない。
そして、前記実施の形態１乃至５においては、素電池２がリチウムイオン二次電池である場合につき説明しているがこれに限定されるものではない。
さらに、前記実施の形態１乃至５においては、電池パックが携帯電話機の電源として用いられる場合につき説明しているがこれに限定されるものではなく、本発明は、ビデオカメラ、モバイルコンピュータ、ＰＤＡ(Personal Digital Assistants)、ＭＰ３プレーヤー等の他の電気機器の電源として用いられる電池パックにも適用することができる。
【図面の簡単な説明】
【００５２】
【図１】本発明の実施の形態１に係る電池パックを示す斜視図である。
【図２】電池パックを示す分解斜視図である。
【図３】電池パックを携帯電話機に収納した状態を示す裏面図である。
【図４】図３のＩＶ−ＩＶ線断面図である。
【図５】本発明の実施の形態２に係る電池パックを示す斜視図である。
【図６】電池パックを収納した携帯電話機を示す一部断面図である。
【図７】本発明の実施の形態３に係る電池パックを示す斜視図である。
【図８】電池パックを収納した携帯電話機を示す一部断面図である。
【図９】本発明の実施の形態４に係る電池パックを示す斜視図である。
【図１０】電池パックを収納した携帯電話機を示す一部断面図である。
【図１１】本発明の実施の形態５に係る電池パックを収納した携帯電話機を示す一部断面図である。
【符号の説明】
【００５３】
１、４１、４２、４３  電池パック
２  電池コア
２１  素電池
２２  保護回路基板
２２ａ  保護回路実装部
２２ｂ  入出力端子
２３  第１リード
２４  第２リード
３  ケース
３１  底板部
３２、３３、３４、３５  側板部
３２ａ  凹部
３２ｂ  端子窓
３６  嵌合リブ
４  蓋部
４ａ  凹部
５、６、７、８、９  緩衝体
５ａ、６ａ、７１ａ、７２ａ、８１ａ  窓孔
７１、８１  基材
７２、８２、９２  吸水シート
１０、１５、１６、１７、１８  携帯電話機
１１  電池パック収納部
１１ａ  第１凹部
１１ｂ  第２凹部
【図１】
2009048914.tif 000003
【図２】
2009048914.tif 000004
【図３】
2009048914.tif 000005
【図４】
2009048914.tif 000006
【図５】
2009048914.tif 000007
【図６】
2009048914.tif 000008
【図７】
2009048914.tif 000009
【図８】
2009048914.tif 000010
【図９】
2009048914.tif 000011
【図１０】
2009048914.tif 000012
【図１１】
2009048914.tif 000013